(57)【要約】【課題】ロック解除時に生じるズレを防止して、微妙な調整ができるワイヤ類クランプを提供する。【解決手段】クランプ本体１にワイヤ類２を貫通して、当該ワイヤ類２を摺動可能とし、且つ、前記クランプ本体１を前記ワイヤ類２の所望の位置で牽制させるロック手段３、４を備え、前記ロック手段３、４は、前記クランプ本体１をワイヤ類２の一方向にのみ牽制する第１ロック部３１と、前記クランプ本体１をワイヤ類２の他方向にのみ牽制する第２ロック部４１と、より構成したことを特徴とする。【選択図】  図１
2008121869.tif 000002
【特許請求の範囲】
【請求項１】
クランプ本体にワイヤ類を貫通して、当該ワイヤ類を摺動可能とし、且つ、前記クランプ本体を前記ワイヤ類の所望の位置で牽制させるロック手段を備えたワイヤ類クランプにおいて、
前記ロック手段は、前記クランプ本体をワイヤ類の一方向にのみ牽制する第１ロック部と、
前記クランプ本体をワイヤ類の他方向にのみ牽制する第２ロック部と、より構成したことを特徴とするワイヤ類クランプ。
【請求項２】
クランプ本体は、軸心に沿って貫通するワイヤ挿通孔と、このワイヤ挿通孔から一方向の外周面に向けて傾斜されて貫通する第１横孔と、前記ワイヤ挿通孔から他方向の外周面に向けて傾斜されて貫通する第２横孔とを有し、
第１ロック部は、前記第１横孔に挿入され、この第１横孔から前記ワイヤ挿通孔に出没するワイヤ押圧部材と、このワイヤ押圧部材を前記ワイヤ挿通孔に進出する方向に付勢する弾性体と、前記弾性体の付勢に抗して前記ワイヤ押圧部材を後退する牽制手段と、よりなり、
第２ロック部は、前記第２横孔に挿入され、この第２横孔から前記ワイヤ挿通孔に出没するワイヤ押圧部材と、このワイヤ押圧部材を前記ワイヤ挿通孔に進出する方向に付勢する弾性体と、前記弾性体の付勢に抗して前記ワイヤ押圧部材を後退する牽制手段と、よりなる請求項１に記載のワイヤ類クランプ。
【請求項３】
第１ロック部及び第２ロック部のワイヤ押圧部材は、表面に凹凸を有する球状に形成されてなる請求項２に記載のワイヤ類クランプ。
【請求項４】
第１ロック部及び第２ロック部のワイヤ押圧部材は、ギアーで構成されている請求項２又は請求項３のいずれかに記載のワイヤ類クランプ。
【請求項５】
第１ロック部及び第２ロック部の牽制手段には、両者を識別するための目印を設けている請求項２ないし請求項４のいずれかに記載のワイヤ類クランプ。
【発明の詳細な説明】
【技術分野】
【０００１】
本発明は、屋内及び／又は屋外において、ワイヤ類を張りわたしたり、張りわたされるワイヤ類どうしを継足したり、ワイヤ類を介して天井、壁、支柱、梁、杭などの支持体にテントシート、防災シート、斜光幕、映写幕（スクリーン）、たれ幕、ワイヤフェンスなどの展張材を張設したり、ワイヤ類を介して蛍光灯などの灯具、吊下式黒板、吊下式掲示板、各種装飾品、看板、配管、ペンダントスイッチ等などを前記支持体に吊下げたりするためにワイヤ類を固定するワイヤ類クランプに関する。
【背景技術】
【０００２】
従来、クランプ本体にワイヤ類を貫通して、当該ワイヤ類を摺動可能とし、且つ、前記クランプ本体を前記ワイヤ類の所望の位置で牽制させるロック手段を備えたワイヤ類クランプが提案されている（例えば、特許文献１参照）。
【０００３】
前記ロック手段には、１つの操作部が設けられており、これをアンロック側に操作すれば、前記クランプ本体がフリーな状態となって、前記ワイヤ類を自由に摺動可能となり、一方、前記操作部をロック側に操作すれば、前記クランプ本体が牽制されて、前記ワイヤ類を摺動不能となる。
【０００４】
このように、従来のワイヤ類クランプは、１つのロック手段の操作によって、前記クランプ本体を前記ワイヤ類の所望の位置で牽制して、前記ワイヤ類の長さを調節するように構成されている。
【０００５】
【特許文献１】特開２００４−１５０６２２号
【発明の開示】
【発明が解決しようとする課題】
【０００６】
しかしながら、従来のワイヤ類クランプは、ロック手段を操作してロックを解除すると同時に、クランプ本体が完全にフリーとなり、ワイヤ類の上、下（又は前、後）の何れの方向にも移動可能となる。
【０００７】
そのため、例えば、ワイヤ類の一方に張力や荷重が負荷されている場合には、ロック解除と同時にクランプ本体が一方に移動してロック時の基準位置がズレ易く、微妙な調整が困難であり、又、このようにクランプ本体が基準位置からズレると、再調整などが必要になる結果、作業性が悪くなるなどの問題があった。
【０００８】
このため、従来のワイヤ類クランプにおいて、作業性を向上させるには、ロック解除時に一人の作業者がクランプ本体を手で支えて当該クランプ本体を基準位置に保持し、他の一人がワイヤ類を上、下（又は前、後）の何れの方向に移動させて基準位置でロック手段でロックする必要性が発生する場合が有り、この場合，二人の作業者が必要となる結果、極めて不経済になるなどの問題があった。
【０００９】
本発明は、前記課題を解決することを目的とするものであって、クランプ本体に相反する一方向にのみ牽制する専用のロック部（第１ロック部、第２ロック部）を設けて、ロック解除時に生じるズレを防止して、微妙な調整ができるようにしたワイヤ類クランプを提供することを目的とするものである。
【課題を解決するための手段】
【００１０】
前記目的を達成するため、本発明に係るワイヤ類クランプは、クランプ本体にワイヤ類を貫通して、当該ワイヤ類を摺動可能とし、且つ、前記クランプ本体を前記ワイヤ類の所望の位置で牽制させるロック手段を備えたワイヤ類クランプにおいて、前記ロック手段は、前記クランプ本体をワイヤ類の一方向にのみ牽制する第１ロック部と、前記クランプ本体をワイヤ類の他方向にのみ牽制する第２ロック部と、より構成したことを特徴とするものである。
【００１１】
即ち、本発明においては、クランプ本体をワイヤ類の一方向にのみ牽制する第１ロック部と、前記クランプ本体をワイヤ類の他方向にのみ牽制する第２ロック部とを具備することによって、一人の作業者がロック解除時に生じるズレを防止して、微妙な調整ができるようにした点に特徴を有するのである。
【００１２】
具体的には、前記前記クランプ本体は、軸心に沿って貫通するワイヤ挿通孔と、このワイヤ挿通孔から一方向の外周面に向けて傾斜されて貫通する第１横孔と、前記ワイヤ挿通孔から他方向の外周面に向けて傾斜されて貫通する第２横孔とを有し、前記第１ロック部は、前記第１横孔に挿入され、この第１横孔から前記ワイヤ挿通孔に出没するワイヤ押圧部材と、このワイヤ押圧部材を前記ワイヤ挿通孔に進出する方向に付勢する弾性体と、前記弾性体の付勢に抗して前記ワイヤ押圧部材を後退する牽制手段と、よりなり、又、前記第２ロック部は、前記第２横孔に挿入され、この第２横孔から前記ワイヤ挿通孔に出没するワイヤ押圧部材と、このワイヤ押圧部材を前記ワイヤ挿通孔に進出する方向に付勢する弾性体と、前記弾性体の付勢に抗して前記ワイヤ押圧部材を後退する牽制手段と、より構成されている。
【００１３】
本発明において、ワイヤ類とは、細長く延びた部材、即ち、線材を全般的に含むものであり、針金、電線などの意味で一般的にワイヤと呼ばれている金属線材（金属線）の他に、樹脂からなる線材（樹脂線）、各種金属細線、各種樹脂細線、各種動・植物性細線のうちから選択された１種類又は２種類以上の細線を撚り合わせて形成したワイヤロープ、鋼線、樹脂製ロープ、紐などが挙げられる。
【００１４】
又、本発明においては、前記ワイヤ類の表面に塗料を塗布したものや、ワイヤ類の表面を樹脂でコーティングしたものなどが挙げられる。
【００１５】
本発明において、クランプ本体は、その形状が特に限定されるものではないが、主として軸状のものが挙げられるのであり、この軸状とは、断面形状が、軸方向に一様であるものと、軸方向の位置によって変化するものとが含まれるのであり、これら断面形状の変化には形状的変化と寸法的変化とが含まれ、更に、これらの変化にはそれぞれ連続的な変化と、段階的な変化とが含まれる。
【００１６】
もちろん、この断面形状は、特に限定されず、円形や略円形、楕円形や略楕円形、三角形や略三角形、多角形や略多角形など任意の形状を採用することができる。
【００１７】
本発明において、クランプ本体には、加工を容易にするために、相反する方向に向けて第１横孔及び第２横孔を貫通、形成している。
【００１８】
更に、このクランプ本体には、必要に応じて、その外周面に、引っ張られる任意の他物に取付けるための取付部を設けることが好ましい。
【００１９】
本発明における第１ロック部及び第２ロック部は、ワイヤ類を牽制可能な構造であれば、特に限定されるものではないが、これら第１ロック部及び第２ロック部を、前述のようにすれば、簡易な構造にすることができる上、操作上のミスが少なく、誤操作を防止できるのである。
【００２０】
また、本発明において、第１ロック部及び第２ロック部のワイヤ押圧部材は、ワイヤ類との接触抵抗（摩擦力）を高めて、牽制を確実に行うために、表面に凹凸を有する球状に形成したり、又、この第１ロック部及び第２ロック部のワイヤ押圧部材は、例えばギアーで構成するのが良い。
【００２１】
又、本発明において、前記ワイヤ押圧部材は、前記横孔に挿入され、かつ、この横孔から前記ワイヤ挿通孔に出没するように構成されていればよく、前述のものの他、例えば、カムやアーム或いは爪を用いることができる。
【００２２】
更に、本発明において、横孔からワイヤ挿通孔に出没するとは、ワイヤ挿入孔にワイヤ押圧部材の全体が没することは必要ではなく、要は、前記ワイヤ押圧部材の出没によって、前記ワイヤ類を十分に牽制又は解除できる程度であれば良いのである。
【００２３】
もっとも、前記クランプ本体に固定できるワイヤ類の径の多様性を高める上では、ワイヤ挿入孔にワイヤ押圧部材の全体が没するように構成されていることが好ましい。
【００２４】
本発明における弾性体は、ワイヤ押圧部材をワイヤ挿通孔に進出付勢するものであればよく、例えば圧縮バネ、引張りバネ、捩りバネなどを用いることができる。
【００２５】
又、圧縮バネとしては、圧縮コイルバネ、皿バネ、筍バネの他に、いわゆる、ガススプリングとよばれる空気バネやゴムなどを用いることも可能であり、捩りバネとしては捩り棒バネ（トーションバー）や弦巻バネが用いることもできる。
【００２６】
この弾性体により、前記ワイヤ押圧部材を付勢するためには、クランプ本体とワイヤ押圧部材との間に直接に弾性体を介在させるか、或いは、クランプ本体に支持させた牽制手段とワイヤ押圧部材との間に弾性体を介在させてもよい。
【００２７】
更に、本発明に係るワイヤ類クランプの第１ロック部及び第２ロック部の牽制手段には、例えば、色・形状・文字等によって、これら第１ロック部及び第２ロック部を識別可能な目印を設けても良く、このような目印を設けておけば、ロック解除する際の誤操作を確実に防止できる。
【００２８】
具体的には、例えば、第１ロック部の操作部外面を赤色に着色すると共に、第２ロック部の操作部外面を白色に着色したり、又、第１ロック部の操作部形状を円形に形成すると共に、第２ロック部の操作部形状を角形に形成したり、又、第１ロック部の操作部外面に「上方向」等の文字、或いは、上向き矢印を付設すると共に、第２ロック部の操作部外面に「下方向」等の文字、或いは、下向き矢印を付設するなどして、ロック解除する際の誤操作を確実に防止するのである。
【発明の効果】
【００２９】
本発明に係るワイヤ類クランプによれば、例えば、ワイヤ類の一方に張力や荷重が負荷されている場合でも、ワイヤ類の他方にのみ牽制するロック部のロックを解除しても、ワイヤ類の一方にのみ牽制するロック部が牽制しているため、前記ワイヤ類の他方にのみ牽制するロック部のロック解除と同時にクランプ本体がワイヤ類の張力に引っ張られて一方に移動されることがない。
【００３０】
そのため、ロック時の基準位置がズレることがなく、当該基準位置から他方に向けてクランプ本体を移動することができるので、一人の作業者が微妙な調整を確実に行うことができるのであり、又、このようにクランプ本体が基準位置からズレることがないから、再調整が不要であり、その結果、作業性が著しく向上するのである。
【００３１】
このため、本発明のワイヤ類クランプにおいては、一人の作業者が微妙な調整を確実に行うことができるので、極めて経済的なのである。
【００３２】
ところで、前記張力や荷重が負荷されている方向である一方のロック部を解除した場合には、従来同様、これら張力や荷重を利用して、容易にワイヤ類を所望の位置まで調整できる。
【００３３】
また、本発明に係るワイヤ類クランプによれば、ワイヤ押圧部材の表面に凹凸を形成することによって、ワイヤ類に確実に噛合してワイヤ類の滑りを防止し、ワイヤ類を所望の位置で、一層確実に牽制できるのである。
【００３４】
更に、本発明に係るワイヤ類クランプにおいて、第１ロック部及び第２ロック部の牽制手段には両者を識別するための目印を設けると、微妙な調整を行う際、誤操作も確実に防止することができるのである。
【発明を実施するための最良の形態】
【００３５】
以下、本発明に係るワイヤ類クランプを実施するための最良の形態を図面に基づいて詳細に且つ具体的に説明する。
【実施例１】
【００３６】
図１は、本発明に係るワイヤ類クランプＡの一実施例を概略的に示す縦断面図である。
なお、図１で示したワイヤ類クランプＡは、本発明を概念的に示した一例に過ぎず、この形状や構造に限定されるものではない。
【００３７】
又、図２及び図３は、図１で示したワイヤ類クランプＡの作用を示した概略動作図であり、図２（ａ）〜（ｃ）は、第１ロック部３１を動作させた状態を示す概略動作図であり、
図３（ａ）〜（ｃ）は、第２ロック部４１を動作させた状態を示す概略動作図である。
【００３８】
すなわち、このワイヤ類クランプＡは、クランプ本体１にワイヤ類２を貫通して、当該ワイヤ類２を摺動可能とし、且つ、クランプ本体１をワイヤ類２の所望の位置で牽制させる２つのロック手段３、４を備えており、これらのロック手段３、４は、各々クランプ本体１をワイヤ類２の一方向にのみ牽制する第１ロック部３１と、クランプ本体１をワイヤ類２の他方向にのみ牽制する第２ロック部４１と、より構成されてなる。
【００３９】
具体的には、クランプ本体１は、軸心に沿って貫通するワイヤ挿通孔１１と、このワイヤ挿通孔１１から一方向の外周面に向けて傾斜されて貫通する第１横孔１２と、ワイヤ挿通孔１１から他方向の外周面に向けて傾斜されて貫通する第２横孔１３と、を有してなる。
【００４０】
第１ロック部３１は、第１横孔１２に挿入され、この第１横孔１２からワイヤ挿通孔１１に出没するワイヤ押圧部材１４と、このワイヤ押圧部材１４をワイヤ挿通孔１１に進出する方向に付勢する弾性体１５と、この弾性体１５の付勢に抗してワイヤ押圧部材１４を後退する牽制手段１６と、より構成している。
【００４１】
一方、第２ロック部４１は、第２横孔１３に挿入され、この第２横孔１３からワイヤ挿通孔１１に出没するワイヤ押圧部材１４’と、このワイヤ押圧部材１４’をワイヤ挿通孔１１に進出する方向に付勢する弾性体１５’と、この弾性体１５’の付勢に抗してワイヤ押圧部材１４’を後退する牽制手段１６’と、より構成している。
【００４２】
なお、本実施例で示した第１ロック部３１及び第２ロック部４１は、製造コストを安価にするため、同一の部材を用いて構成しているが、これら第１ロック部３１及び第２ロック部４１を異なる構成にすることも可能である。
【００４３】
また、ワイヤ押圧部材１４、１４’は、単なる球体でも構わないが、表面に凹凸１４ａ，１４ａ’を形成することで、ワイヤ類２との滑りを防止して、ワイヤ類２を所望の位置に確実に牽制できるように構成するのが望ましい。
【００４４】
そのため、本実施例では、ワイヤ押圧部材１４、１４’をセラミック製のギアーで構成しており、該ギアー表面の凹凸１４ａ、１４ａ’が、ワイヤ類２に確実に噛合してワイヤ類２の滑りを防止して、ワイヤ類２を所望の位置で確実に牽制できるように構成している。
【００４５】
前記第１ロック部３１の弾性体１５は、コイルバネ等のバネ部材を用い、この弾性体１５の一方向の端部には、第１横孔１２に埋設される栓部材１７を固着しており、同様にして、第２ロック部４１の弾性体１５’の他方向の端部には、第２横孔１３に埋設される栓部材１７’を固着している。
【００４６】
第１ロック部３１の牽制手段１６は、ワイヤ押圧部材１４を弾性体１５の付勢に抗して後退可能であれば良く、本実施例では、ワイヤ挿通孔１１から他方向の外周面に向けて傾斜されて貫通する横孔１６ａを形成すると共に、この横孔１６ａにコイルバネ１６ｂを外挿した出没ピン１６ｃを内挿し、図２ｂに示すように、この出没ピン１６ｃの基端に設けた操作部１６ｄを押圧すると、コイルバネ１６ｂの弾性に抗しながら、これを縮めると共に、出没ピン１６ｃの先端がワイヤ挿通孔１１に突出して、ワイヤ押圧部材１４を弾性体１５の付勢に抗して後退可能に構成している。
【００４７】
なお、第２ロック部４１の牽制手段１６’についても、第１ロック部３１の牽制手段１６と同様に構成しているため、重複説明を避けるためその説明は省略する。
又、図１及び図２において、図１と共通する部材には、同一の符号を付して、各部材の重複する説明は省略する。
【００４８】
以上のように構成した本発明に係るワイヤ類クランプＡは、以下のようにして作用する。
先ず、図１の状態は、ワイヤ類２が第１ロック部３１及び第２ロック部４１によって牽制しており、クランプ本体１は、ワイヤ類２の何れの方向にも移動できない状態に保持されている。
【００４９】
なお、図２では、ワイヤ類２が図中左方向に張力や荷重が負荷されており、図３では、ワイヤ類２が図中右方向に張力や荷重が負荷されているものとして説明する。
【００５０】
この図１の状態から、ワイヤ類２を右方向に移動する必要が生じた場合には、第１ロック部３１の牽制手段１６に設けた操作部１６ｄを図中矢印で示すように押圧すると、コイルバネ１６ｂの弾性に抗しながら、出没ピン１６ｃの先端がワイヤ挿通孔１１に突出して、図中破線矢印で示すように、ワイヤ押圧部材１４が弾性体１５の付勢に抗しながら後退する〔図２（ａ）参照〕。
【００５１】
このとき、ワイヤ類２は、ワイヤ押圧部材１４による牽制が解除されるが、第２ロック部４１のワイヤ押圧部材１４’によって、ワイヤ類２が図中左方向に移動することを牽制しているため、ワイヤ類２が移動することがないのである。
【００５２】
次に、操作部１６ｄを押圧したまま、ワイヤ類２を掴んで図中右方向に移動させる（又は、クランプ本体１を掴んで図中左方向に移動させる。）と、ワイヤ押圧部材１４による牽制が解除されているため、ワイヤ類２は牽制されることなく、所望の位置まで容易に図中右方向に移動できる〔図２（ｂ）参照〕。
【００５３】
そして、ワイヤ類２（又は、クランプ本体１）を所望の位置に到達したとき、第１ロック部３１の操作部１６ｄを離せば、図中破線矢印で示すように、コイルバネ１６ｂの弾性によって、出没ピン１６ｃが元の位置に戻されると共に、ワイヤ押圧部材１４が弾性体１５の付勢によって、ワイヤ類２を所望の位置で牽制するのである〔図２（ｃ）参照〕。
【００５４】
一方、ワイヤ類２が図中右方向に張力や荷重が負荷されている場合であって、ワイヤ類２を左方向に移動する必要が生じた場合には、図３（ａ）〜（ｃ）で示すように、第２ロック部４１の牽制手段１６’に設けた操作部１６ｄを図中矢印で示すように押圧すれば、図２と同じ要領で、ワイヤ類２は牽制されることなく、所望の位置まで容易に図中左方向に移動できるのである〔図３（ａ）・（ｂ）参照〕。
【００５５】
そして、ワイヤ類２（又は、クランプ本体１）を所望の位置に到達したとき、第２ロック部４１の操作部１６ｄを離せば、図中破線矢印で示すように、コイルバネ１６ｂの弾性によって、出没ピン１６ｃが元の位置に戻されると共に、ワイヤ押圧部材１４’が弾性体１５’の付勢によって、ワイヤ類２を所望の位置で牽制するのである〔図３（ｃ）参照〕。
【００５６】
このように、本発明に係るワイヤ類クランプＡによれば、第１ロック部３１のロック解除の場合と同様にクランプ本体１がワイヤ類２の張力に引っ張られて図中左方向に移動されることがない。
【００５７】
そのため、ロック時（図１の状態）からの基準位置がズレることなく、微妙な調整を確実に行うことができる。
【図面の簡単な説明】
【００５８】
【図１】図１は、本発明に係るワイヤ類クランプの一実施例を概略的に示す縦断面図である。
【図２】図２は、図１で示したワイヤ類クランプの作用を示す概略動作図であり、図２において（ａ）〜（ｃ）は、第１ロック部を動作させた状態を示す概略動作図である。
【図３】図３は、図１で示したワイヤ類クランプの作用を示す概略動作図であり、図３において（ａ）〜（ｃ）は、第２ロック部を動作させた状態を示す概略動作図である。
【符号の説明】
【００５９】
Ａ              ワイヤ類クランプ
１              クランプ本体
１１              ワイヤ挿通孔
１２              第１横孔
１３              第２横孔
１４、１４’      ワイヤ押圧部材
１４ａ、１４ａ’  凹凸
１５、１５’      弾性体
１６、１６’      牽制手段
２              ワイヤ類
３              ロック手段
３１              第１ロック部
４              ロック手段
４１              第２ロック部
【図１】
2008121869.tif 000003
【図２】
2008121869.tif 000004
【図３】
2008121869.tif 000005